(57)【要約】【課題】地表に立設する支柱７の根元で地表に設置され、前記支柱７の周囲の地表を覆う防草具。設置が容易であり、草刈り機で草刈りする場合に危険がない。【解決手段】外周部が平板２、中央部が中空の截頭円錐体３からなり、截頭円錐体３の頂部に支柱７の挿入が可能な貫通穴５が形成され、平板２の下面に地中に差し込む複数個の固定用の突起４が一体的に設けられている。平板２の上面を踏み込むだけで突起４が地面に刺さり、防草具１を固定できる。突起４が平板２の下面に設けられているため、草刈り機の回転刃に当たってはじけ飛ぶような危険がない。【選択図】  図１
2004242615.tif 000002
【特許請求の範囲】
【請求項１】
地表に立設する支柱の根元で地表に設置され、前記支柱の周囲の地表を覆う防草具において、遮光性素材からなり、中央部に前記支柱の挿入が可能な貫通穴が形成され、少なくとも外周部が平板状であり、その下面に地中に差し込む複数個の固定用の突起が一体的に設けられていることを特徴とする支柱用防草具。
【請求項２】
前記貫通穴が変形可能で、上方から支柱を貫通させたとき拡大し得ることを特徴とする請求項１に記載された支柱用防草具。
【請求項３】
中央部が外周部より高くなり、その頂部に前記貫通穴が形成されていることを特徴とする請求項１又は２に記載された支柱用防草具。
【請求項４】
前記中央部が中空の截頭円錐形であることを特徴とする請求項３に記載された支柱用防草具。
【請求項５】
前記支柱が鳥獣撃退用の電気柵の支柱であることを特徴とする請求項１〜４のいずれかに記載された支柱用防草具。
【発明の詳細な説明】
【０００１】
【発明の属する技術分野】
本発明は、地表に立設する支柱の根元で地表に設置され、前記支柱の周囲の地表を覆う防草具に関し、特に鳥獣撃退用の電気柵の支柱の根元に設置される防草具として好適に利用される。
【０００２】
【従来の技術】
近年、山間部での農作物の鳥獣被害に対し、電気柵を使用するケースが増えている。これは、田畑の周囲に支柱を立て、これに電線を張り巡らせて通電し、これに接触した鳥獣に電気ショックを与えて撃退をするものである。
この電気柵は、田畑の外周のいわゆるあぜ道に設置して使用するのであるが、当然このあぜ道には雑草が生える。雑草が伸びると電線に触れてショートし、鳥獣の撃退効果がなくなってしまう。そこで電気柵の周辺の草刈りが必要となる。
草刈りは通常、回転刃を有する動力式の草刈り機で行われるが、この草刈り機で支柱ぎりぎりまで草刈りをした場合、回転刃が支柱に接触するなどして大変危険であり、また、支柱を傷つけてしまう。
【０００３】
一方、ガードレールや交通標識の支柱あるいは樹木などの根元で地表に設置し、前記支柱等の周囲の地表を覆って雑草が生えるのを防止する防草具が知られている。例えば下記特許文献１には、中央に貫通穴を有する平板状のブロックが記載され、下記特許文献２、６には、中央に貫通穴を有するスカート状のカバーが記載され、下記特許文献３には、中央に筒状の立ち上がり部を有する平板状の被覆体が記載され、下記特許文献４には、貫通穴を有する平板状のカバーが連設されたもの記載され、下記特許文献５には、樹木の周囲のみがササラ状とされたパネルが記載され、下記特許文献７には、中央の貫通穴の周囲に盛り上がり部を有する平板が記載されている。
これらの防草具を使用すると支柱の周りに雑草が生えるのが防止されるため、草刈り機を使用して周辺の雑草を刈る際、回転刃を支柱のごく近傍に寄せる必要がなく、従って、支柱に回転刃が接触するのを防止することができる。なお、草刈り機で刈る際は、平板状の防草具は設置した状態のままとし、スカート状の防草具は支柱に沿って上方にずらせばよい。
【０００４】
【特許文献１】
特開２００２−１２１７１９号公報
【特許文献２】
特開２０００−３５４４４６号公報
【特許文献３】
特開２０００−６０３２０号公報
【特許文献４】
特開平１１−３６２５２号公報
【特許文献５】
登録実用新案第３０５６１０７号公報
【特許文献６】
特開平１０−１９１８０７号公報
【特許文献７】
特開平９−１２５３３０号公報
【０００５】
【発明が解決しようとする課題】
防草具は地表を覆うように支柱の根元に設置される。しかし、この防草具が地表から浮いていると、隙間から雑草が生長してさらに防草具を浮き上がらせ、防草具としての役割が十分果たせなくなる。これを防止するため、防草具はアンカーで地表に固定するか支柱に固定して、地表から浮き上がらないように設置する必要がある。
しかし、アンカーで地表に固定している場合において、仮にアンカーが防草具から外れた状態（アンカーのヘッドが防草具から浮いた状態）になっていると、草刈りの際に回転刃がアンカーに当たってこれをはじき飛ばし、大変危険である。柔らかいあぜ道でアンカーの打ち込みが甘く、あるいは雑草が繁茂して防草具を浮き上がらせることにより、アンカーが外れることは起こり得る。
また、電気柵用の支柱は一般に細く、太さもまちまちであるので、支柱に防草具を固定するのは難しく、かつ作業がきわめて面倒となる。
【０００６】
本発明は、電気柵用等の支柱の根元に設置する防草具に関するこれらの問題点に鑑み、防草具を地表に固定した場合において、上記のような危険がなく、かつ固定が容易に行えるようにすることを目的とする。
【０００７】
【課題を解決するための手段】
本発明は、地表に立設する支柱の根元で地表に設置され、前記支柱の周囲の地表を覆う支柱用防草具において、遮光性素材からなり、中央部に前記支柱の挿入が可能な貫通穴が形成され、少なくとも外周部が平らであり、その下面に地中に差し込む複数個の固定用の突起が一体的に設けられていることを特徴とする。
この防草具において、前記貫通穴が変形可能で、上方から支柱を貫通させたとき拡大し得ることが望ましい。
また、具体的形態として、中央部が外周部より高くなり、その頂部に前記貫通穴が形成されていることが望ましい。中央部の形状は例えば中空の截頭円錐形である。
本発明に係る支柱用防草具は、例えば鳥獣撃退用の電気柵の支柱として用いられる。
【０００８】
【発明の実施の形態】
以下、図１〜図８を参照して、本発明に係る支柱用防草具について、電気柵用支柱を例にして具体的に説明する。
図１に示す防草具１は、全体が遮光性と可撓性を有するプラスチックの一体成形体からなり、外周部が平板２であり、中央部が高くなって中空の截頭円錐体３をなし、平板２の周囲の突出部２ａの下面に固定用の突起４を下向きに有し、截頭円錐体３の頂部に貫通穴５が形成され、貫通穴５の周囲には放射状に切れ目６が入れられている。図１（ｂ）に示されるように、全体形状は略ハット状をなす。
この防草具１の設置手順の例を図１（ｃ）を参照して説明すると、まず、地表の所定位置に防草具１を置き、支柱７を貫通穴５の上から地中に突き刺して立て、次に平板２（特に２ａ）を上から踏んで突起４を地中に差し込み、かつ平板２を地表面Ｇに密着させる。これによって防草具は地表に固定され、支柱７の根元の周囲は地表が防草具１により覆われる。前記手順で必要数の支柱７を立て、かつ各々に防草具１を設置した後、通電用の電線を張り巡らす。
【０００９】
平板２は例えば直径３０〜４０ｃｍ程度とされる。この範囲内に草が生えていなければ、草刈り機の回転刃を支柱７（及び截頭円錐体３）に当てることなく周囲の草を刈ることができる。截頭円錐体３の径が小さく、かつ平板２から高くなっているため、仮に貫通穴５と支柱７の間に隙間ができ、又は貫通穴５の周囲に隙間ができても日光が截頭円錐体３の内部の地表に達しにくく、内部で草が生長するのを抑えることができる。
図２はこの防草具１を積み重ねた状態を示す。中空の截頭円錐体３を中心として、上下に密に積み重ねることができる。
突起４は上記の例では下細りの長いトゲのような形態であるが、断面が十字形であるため地中において接触面積が大きく、摩擦により容易には抜けにくい。また、矢や銛の先端のように返り（引っかかり）が付いているとさらに固定が確実になる。
【００１０】
貫通穴５は変形可能であり、貫通穴５の内径が支柱７の外径より小さくても、支柱７が差し込まれるときに撓んで径が拡大し、支柱７は貫通穴５を貫通し得る。このとき、図１（ｃ）に示すように、貫通穴５の周囲が支柱７に押し付けられ（支柱７に沿って下方に撓んでいる）、かつ貫通穴５の位置は高くなった截頭円錐体３の頂部に形成されているので、この貫通穴５が補助的に支柱７を支持する効果をもつ。なお、この例では貫通穴５の周囲に所定範囲にわたって切れ目６を入れているため、貫通穴５が容易に変形して径が拡大するが、切れ目６は必須ではない。
貫通穴５が変形可能で、支柱７が差し込まれるときに撓んで径が拡大し得ることから、支柱７の太さがまちまちでも貫通穴５に支柱７を受け入れることができる。切れ目６が形成されていた方が、より大きい径の支柱に対応できる。しかし、切れ目６がなければ貫通穴５の周縁に隙間ができない。
【００１１】
図３は別の防草具１１を示すもので、全体が平板１２であり、その中央に貫通穴１５が形成されている。１４は突起である。
図４はさらに別の防草具２１を示すもので、中央部の截頭円錐体２３の頂部に形成された穴に貫通穴２５を有する別体の部材２８がはめ込まれている。この貫通穴２５の前記のように変形可能であることが望ましい。また、貫通穴２５の径の異なる部材２８をいくつか揃え、支柱７の径に合わせて取り代えるようにしてもよい。２２は平板、２４は突起である。
図５はさらに別の防草具３１を示すもので、外周部が平板３２であり、中央部に先細りの筒状体３３が一体的に立設し、その内部が貫通穴３５となっている。筒状体３３に形成された貫通穴３５は穴径が先細りであり、貫通穴３５に差し込まれた支柱７はこの筒状体３３の貫通穴３５に補助的に支持される。また、突起３４には返り３４ａが形成されている。
【００１２】
図６はさらに別の防草具４１を示すもので、外周部が平板４２であり、中央部に円筒状の筒状体４３が一体的に立設し、その内部が貫通穴４５となっている。貫通穴３５に差し込まれた支柱７は、貫通穴４５により補助的に支持される。４４は突起である。
図７はさらに別の防草具５１を示すもので、全体が平板５２であり、その中央に貫通穴５５が形成され、貫通穴５５の周囲に支持部材５３が立設し、貫通穴５５に差し込まれた支柱７は、支持部材５３により補助的に支持される。５４は突起である。
なお、防草具３１〜５１の場合、貫通穴より径の大きい支柱７を受け入れるのは難しい。
【００１３】
図８は、通電用の電線８を張り巡らせた電気柵用の支柱７に防草具４１を設置し、草刈り機で草刈りをする様子を示すもので、支柱防草具４１の上（すなわち支柱７の周囲）には雑草が生えていないので、草刈り機９の回転刃９ａを支柱７のごく近傍まで寄せる必要がなく、支柱に回転刃が接触するのを防止することができ、また、防草具４１の外周部が平板であるので、回転刃９ａを低くして雑草を根元近くから刈り取ることができる。さらに、固定用の突起が防草具４１の下面にあるため、従来のように回転刃９ａがアンカーをはじき飛ばすという危険は生じない。
【００１４】
【発明の効果】
本発明によれば、固定用の突起が防草具の下面に一体的に設けられているため、防草具の平板状の部分を足で踏むだけで、防草具を設置することができ、設置作業が容易である。
また、支柱の周りに雑草が生えるのが防止されるため、草刈り機を使用して周辺の雑草を刈る際、回転刃を支柱のごく近傍に寄せる必要がなく、支柱に回転刃が接触するのを防止することができ、外周部が平板であるので、回転刃を低くして防草具の周囲の雑草を根元近くから刈り取ることができる。そして、固定用の突起が防草具の下面にあるため、従来のように回転刃がアンカーをはじき飛ばすという危険は生じない。
さらに、貫通穴を変形可能として、支柱が差し込まれるときに径が拡大するようにしていれば、各種の太さの支柱を受け入れることができ、まちまちな太さの支柱を使うことが多い鳥獣撃退用の電気柵の支柱用として、好適である。
【図面の簡単な説明】
【図１】本発明に係る防草具の斜視図（ａ）、断面図（ｂ）、及び使用時の断面図である。
【図２】その防草具を積み重ねた状態を示す斜視図である。
【図３】本発明に係る他の防草具の斜視図（ａ）及び断面図（ｂ）である。
【図４】本発明に係る他の防草具の断面図である。
【図５】本発明に係る他の防草具の斜視図である。
【図６】本発明に係る他の防草具の斜視図である。
【図７】本発明に係る他の防草具の斜視図である。
【図８】本発明に係る防草具を設置した電気柵及び草刈りの様子を説明する図である。
【符号の説明】
１，１１，２１，３１，４１，５１  防草具
２，１２，２２，３２，４２，５２  平板
４，１４，２４，３４，４４，５４  突起
５，１５，２５，３５，４５，５５  貫通穴
７  支柱
【図１】
2004242615.tif 000003
【図２】
2004242615.tif 000004
【図３】
2004242615.tif 000005
【図４】
2004242615.tif 000006
【図５】
2004242615.tif 000007
【図６】
2004242615.tif 000008
【図７】
2004242615.tif 000009
【図８】
2004242615.tif 000010